(57)【要約】【課題】個人認証で許可された人のみ操作可能となり、簡単な構造で、建物の窓戸が所定以上開かないように開放幅を制限することが確実に可能である。【解決手段】遠隔操作により建物の窓戸が所定以上開かないように開放幅を制限する窓戸開放制限システム１であり、建物の窓戸が所定以上開かないように開放幅を制限する窓戸開放制限装置２と、個人認証信号に基づいて窓戸開放制限装置２を制御可能にする制御装置３と、個人認証信号を出力する認証信号出力手段と、個人認証信号を読み取り制御装置３へ送る読取手段とを備える。【選択図】図３
2005023606.tif 000002
【特許請求の範囲】
【請求項１】
遠隔操作により建物の窓戸が所定以上開かないように開放幅を制限する窓戸開放制限システムであり、
建物の窓戸が所定以上開かないように開放幅を制限する窓戸開放制限装置と、
個人認証信号に基づいて前記窓戸開放制限装置を制御可能にする制御装置と、
前記個人認証信号を出力する認証信号出力手段と、
前記個人認証信号を読み取り前記制御装置へ送る読取手段とを備えることを特徴とする窓戸開放制限システム。
【請求項２】
前記窓戸開放制限装置は、
前記窓戸の近傍の建物固定側に取り付けられる装置本体と、
前記窓戸が開閉する位置に出没して窓戸と当接し所定以上の開き方向の移動を規制する窓戸移動規制部材と、
前記窓戸移動規制部材を移動可能に支持し、前記装置本体に設けられる支持部材と、
制御信号に基づいて前記窓戸移動規制部材を前記窓戸が開閉する位置に出没させる駆動手段とを備えることを特徴とする請求項１に記載の窓戸開放制限システム。
【請求項３】
前記窓戸移動規制部材は、前記窓戸が開閉する方向に対して直交方向に出没するスライドロッドで構成され、
前記スライドロッドにロッド軸方向と直交方向にカム溝を設け、
前記駆動手段は、カムピンを有する開閉レバーと、この開閉レバーを作動する駆動モータとで構成し、
前記カム溝に前記カムピンが係合され、
前記駆動モータの駆動で前記開閉レバーの前記カムピンが、前記カム溝を介して前記スライドロッドを出位置または没位置に移動することを特徴とする請求項２に記載の窓戸開放制限システム。
【請求項４】
前記支持部材は、前記装置本体に設けた一対のロッドブラケットで構成され、
前記窓戸移動規制部材の一方方向の移動で、前記一方のロッドブラケットから突出する長さと、他方方向の移動で、前記他方のロッドブラケットから突出する長さとが略同じであることを特徴とする請求項２に記載の窓戸開放制限システム。
【請求項５】
前記制御装置は、異常検知手段からの非常警報信号に基づき前記窓戸開放制限装置の制御を解除して前記窓戸を開放可能にすることを特徴とする請求項１に記載の窓開放制限システム。
【請求項６】
前記制御装置は、前記窓戸開放制限装置の駆動時間を検出し、所定時間以上の経過時に異常を警報する装置異常警報手段を有することを特徴とする請求項５に記載の窓戸開放制限システム。
【請求項７】
前記装置異常警報手段は、異常の警報が前記窓戸開放制限装置の駆動停止であることを特徴とする請求項６に記載の窓戸開放制限システム。
【請求項８】
前記装置異常警報手段は、異常の警報が異常ブザーまたは異常点灯であることを特徴とする請求項６に記載の窓戸開放制限システム。
【請求項９】
前記建物の１個の窓戸に対して、前記窓戸開放制限装置を複数箇所に設け、前記窓戸の開放幅を制御可能にしたことを特徴とする請求項１乃至請求項８のいずれか１項に記載の窓戸開放制限システム。
【請求項１０】
前記建物の複数の窓戸のそれぞれに対して、前記窓戸開放制限装置を単数または複数箇所に設け、前記窓戸の開放幅を制限または制御可能にしたことを特徴とする請求項１乃至請求項８のいずれか１項に記載の窓戸開放制限システム。
【発明の詳細な説明】
【０００１】
【発明の属する技術分野】
この発明は、個人認証により制御して建物の窓戸が所定以上開かないように開放幅を制限する窓戸開放制限システムに関する。
【０００２】
【従来の技術】
建物には、通常、人の出入りや室内の換気等のために窓戸等が設けられているが、例えば、高齢者が居住する施設や病院等の建物では、換気・通気はしたいが開閉自由とすると高齢者や病人が無断に外出する危険がある。このために、換気・通気はできるが人が出られないように窓戸が所定以上開かないように開放幅を制限する必要がある。
【０００３】
従来、遠隔操作によって、窓戸を開閉したり、施錠・開錠することの可能な窓戸開閉装置や窓戸開閉制御システム等が提案されているが（特許文献１乃至特許文献６）、人が出られないように窓戸が所定以上開かないように開放幅を制限することを、個人認証により制御するものはない。
【０００４】
【特許文献１】
特開２００２−１１５４５１号公報
【０００５】
【特許文献２】
特開２００２−５４３５０号公報
【０００６】
【特許文献３】
特開２０００−３０３７２９号公報
【０００７】
【特許文献４】
特開２０００−８７１０号公報
【０００８】
【特許文献５】
特開平１１−２２２９５号公報
【０００９】
【特許文献６】
特開平１０−１４０８９１号公報
【００１０】
【発明が解決しようとする課題】
このように、人が出られないように窓戸が所定以上開かないように開放幅を制限する装置やシステムはあるが、個人認証により許可を与えられた人のみが操作可能とするものはなく、例えば、老人ホームや老人病院、精神病院等では、窓や戸の開放により、新鮮外気を取り入れたいが、入居者や患者に対する事故の防止や外部への逃亡防止のため、容易に窓戸の開放幅を無制限に開放することができない状況である。
【００１１】
例えば窓戸の開放をビスやストッパー等で止める等した場合には、主に自然換気により法的換気を実施している居室や自然排煙を採っている居室については、適法・有効な換気（排煙）開口が確保できない等の問題があった。
【００１２】
また、窓や戸の開閉制御を別室から遠隔で行うシステムは存在したが、操作者個人を特定せず遠隔で誰でも操作できるため、当該別室を利用する入居者に関する安全が万全であるとは言い切れない問題があった。また、現地でも容易に操作できる構造のものもあり、その点でも入居者への安全確保が課題であった。
【００１３】
この発明は、かかる点に鑑みてなされたもので、個人認証で許可された人のみ操作可能となり、簡単な構造で、建物の窓戸が所定以上開かないように開放幅を制限することが確実に可能な窓戸開放制限システムを提供することを目的としている。
【００１４】
【課題を解決するための手段】
前記課題を解決し、かつ目的を達成するために、この発明は、以下のように構成した。
【００１５】
請求項１に記載の発明は、遠隔操作により建物の窓戸が所定以上開かないように開放幅を制限する窓戸開放制限システムであり、
建物の窓戸が所定以上開かないように開放幅を制限する窓戸開放制限装置と、個人認証信号に基づいて前記窓戸開放制限装置を制御可能にする制御装置と、
前記個人認証信号を出力する認証信号出力手段と、
前記個人認証信号を読み取り前記制御装置へ送る読取手段とを備えることを特徴とする窓戸開放制限システムである。
【００１６】
この請求項１に記載の発明によれば、認証信号出力手段からの個人認証信号によって制御装置が窓戸開放制限装置を制御可能にすることで、建物の窓戸が所定以上開かないように開放幅を制限が、個人認証で許可された人のみ操作可能となり、居室における自然換気の確保と、事故の防止の両立を可能にできる。
【００１７】
請求項２に記載の発明は、前記窓戸開放制限装置は、
前記窓戸の近傍の建物固定側に取り付けられる装置本体と、
前記窓戸が開閉する位置に出没して窓戸と当接し所定以上の開き方向の移動を規制する窓戸移動規制部材と、
前記窓戸移動規制部材を移動可能に支持し、前記装置本体に設けられる支持部材と、
制御信号に基づいて前記窓戸移動規制部材を前記窓戸が開閉する位置に出没させる駆動手段とを備えることを特徴とする請求項１に記載の窓戸開放制限システムである。
【００１８】
この請求項２に記載の発明によれば、装置本体に設けられる支持部材に窓戸移動規制部材を支持し、この窓戸移動規制部材を窓が開閉する位置に出没して窓戸と当接し所定以上の開き方向の移動を規制することで、簡単な構造で、確実に建物の窓戸が所定以上開かないように開放幅を制限することができる。
【００１９】
請求項３に記載の発明は、前記窓戸移動規制部材は、前記窓戸が開閉する方向に対して直交方向に出没するスライドロッドで構成され、
前記スライドロッドにロッド軸方向と直交方向にカム溝を設け、
前記駆動手段は、カムピンを有する開閉レバーと、この開閉レバーを作動する駆動モータとで構成し、
前記カム溝に前記カムピンが係合され、
前記駆動モータの駆動で前記開閉レバーの前記カムピンが、前記カム溝を介して前記スライドロッドを出位置または没位置に移動することを特徴とする請求項２に記載の窓戸開放制限システムである。
【００２０】
この請求項３に記載の発明によれば、駆動モータの駆動で開閉レバーのカムピンが、カム溝を介してスライドロッドを出位置または没位置に移動することで、カム機構による簡単な構造で、確実に建物の窓戸が所定以上開かないように開放幅を制限することができる。また、窓戸を開けた時の衝撃荷重を、スライドロッドから支持部材を介して装置本体に伝達され、駆動モータには、衝撃荷重がかからない構造であり、装置の耐久性が向上する。
【００２１】
請求項４に記載の発明は、前記支持部材は、前記装置本体に設けた一対のロッドブラケットで構成され、
前記窓戸移動規制部材の一方方向の移動で、前記一方のロッドブラケットから突出する長さと、他方方向の移動で、前記他方のロッドブラケットから突出する長さとが略同じであることを特徴とする請求項２に記載の窓戸開放制限システムである。
【００２２】
この請求項４に記載の発明によれば、窓戸移動規制部材の一方方向の移動で、一方のロッドブラケットから突出する長さと、他方方向の移動で、他方のロッドブラケットから突出する長さとが略同じであり、窓戸の引き戸の部分が左開きでも、右開きでも設置可能である。
【００２３】
請求項５に記載の発明は、前記制御装置は、異常検知手段からの非常警報信号に基づき前記窓戸開放制限装置の制御を解除して前記窓戸を開放可能にすることを特徴とする請求項１に記載の窓開放制限システムである。
【００２４】
この請求項５に記載の発明によれば、非常警報信号に基づき窓戸開放制限装置の制御を解除して窓戸を開放可能にすることで、様々な法規制に対しても、火報、ＣＯ２センサー、温度センサー、湿度センサー、震度センサー等との連動により、火災時等は、避難安全のために窓戸の開放制限を自動的に解除することができ、法尊守を可能とする。
【００２５】
請求項６に記載の発明は、前記制御装置は、前記窓戸開放制限装置の駆動時間を検出し、所定時間以上の経過時に異常を警報する装置異常警報手段を有することを特徴とする請求項５に記載の窓戸開放制限システムである。
【００２６】
この請求項６に記載の発明によれば、窓戸開放制限装置の駆動時間を検出し、所定時間以上の経過時に異常を警報することで、窓戸開放制限装置の故障等を迅速に知り、補修等を行なうことができる。
【００２７】
請求項７に記載の発明は、前記装置異常警報手段は、異常の警報が前記窓戸開放制限装置の駆動停止であることを特徴とする請求項６に記載の窓戸開放制限システムである。
【００２８】
この請求項７に記載の発明によれば、異常の警報が窓戸開放制限装置の駆動停止であり、例えば窓戸開放制限装置に過電流が流れないようにすることができる。
【００２９】
請求項８に記載の発明は、前記装置異常警報手段は、異常の警報が異常ブザーまたは異常点灯であることを特徴とする請求項６に記載の窓戸開放制限システムである。
【００３０】
この請求項８に記載の発明によれば、異常の警報が異常ブザーまたは異常点灯であり、迅速、かつ確実に異常を知らせることができる。
【００３１】
請求項９に記載の発明は、前記建物の１個の窓戸に対して、前記窓戸開放制限装置を複数箇所に設け、前記窓戸の開放幅を制御可能にしたことを特徴とする請求項１乃至請求項８のいずれか１項に記載の窓戸開放制限システムである。
【００３２】
この請求項９に記載の発明によれば、１個の窓戸に対して、窓戸開放制限装置を複数箇所に設け、窓戸の開放幅を制御可能にしたことで、窓戸の開放幅を使用状況等に応じて変更することができる。
【００３３】
請求項１０に記載の発明は、前記建物の複数の窓戸のそれぞれに対して、前記窓戸開放制限装置を単数または複数箇所に設け、前記窓戸の開放幅を制限または制御可能にしたことを特徴とする請求項１乃至請求項８のいずれか１項に記載の窓戸開放制限システムである。
【００３４】
この請求項１０に記載の発明によれば、１つごとの窓戸でも、また複数の窓戸をまとめてでも、窓戸全数でも窓戸の開放幅を使用状況等に応じて変更することができ、施設管理の効率化が可能である。
【００３５】
【発明の実施の形態】
以下、この発明の窓戸開放制限システムの実施の形態を図面に基づいて、詳細に説明するが、この発明は、この実施の形態に限定されない。また、この発明の実施の形態は、発明の最も好ましい形態を示すものであり、この発明の用語の意義は、これに限定されない。
【００３６】
まず、窓戸開放制限システムの実施の形態を、図１乃至図４に示す。図１は窓戸開放制限装置の設置状態を示す正面図、図２は窓戸開放制限装置の設置状態を示す断面図、図３は窓戸開放制限システムの概略構成図、図４は窓戸開放制限システムの動作を示すフローチャートである。
【００３７】
この実施の形態の窓戸開放制限システム１は、遠隔操作により建物の窓戸が所定以上開かないように開放幅を制限し、例えば病院（老人病院、精神病院、小児科病院）、老人ホーム、幼児施設、学校等の開閉制限が必要とされる施設の窓戸に用いられ、さらに高層ビルの窓の開放制限にも利用可能である。また、様々な用途建物の窓戸を介しての外部からの侵入犯罪防止にも用いられる。また、住宅の場合、窓ガラスを破壊して、クレセントを回して、窓を開け侵入する犯罪が多発しているが、クレセントを回しても、窓が動かず容易に侵入するすることを防げるために、この種の手口による侵入を防止することもできる。
【００３８】
この窓戸開放制限システム１は、図３に示すように、窓戸開放制限装置２、制御装置３、認証信号出力手段として認証カード４、読取手段としてカードリーダ５を有する。認証信号出力手段として、この実施の形態では認証カード４を用いているが、認証キーなどを用いてもよく、また読取手段として、この実施の形態ではカードリーダ５を用いているが、認証キーなどを用いる場合にはキーリーダ等を用いる。
【００３９】
窓戸開放制限装置２は、図１及び図２に示すように、建物の人が出入りする居室の開口部１０に設けられる窓戸１１が所定以上開かないように開放幅Ｗを制限する。
【００４０】
この開放幅Ｗは、老人ホームや老人病院、精神病院等では、窓戸１１の開放により、新鮮外気を取り入れ、かつ入居者や患者に対する事故の防止や外部への逃亡防止のために、窓戸１１を開放する幅であり、例えば１０ｃｍ等に制御する。
【００４１】
この実施の形態では、窓戸開放制限装置２が開口部１０の上部に固定されているが、図２の二点鎖線で示すように、開口部１０の下部に固定してもよい。
【００４２】
制御装置３は、カードリーダ５からの個人認証信号に基づいて窓戸開放制限装置２を制御可能にし、ＯＮボタン３ａの操作で窓戸開放制限装置２による開放幅制限を行ない、ＯＦＦボタン３ｂの操作で窓戸開放制限装置２による開放幅制限の解除を行なう。
【００４３】
認証カード４には、ＩＣチップが埋め込まれ、このＩＣチップには窓戸開放制限システム１を使用する個人情報が記録されており、この個人情報の個人認証信号を出力する。カードリーダ５は、認証カード４からの個人認証信号を非接触状態で読み取り、制御装置３へ送る。
【００４４】
次に、窓戸開放制限システム１の動作を、図４に基づいて説明する。この窓戸開放制限システム１を使用する者が、認証カード４をかざすと、カードリーダ５が認証カード４からの個人認証信号を非接触状態で読み取り（ステップａ）、制御装置３へ送る。制御装置３では、個人情報の認証が予め記憶されているものと一致するか否かの判断を行ない（ステップｂ）、個人情報の認証が一致していないと制御装置３の操作が不可能であり（ステップｃ）、制御装置３の操作によって窓戸開放制限装置２を駆動し窓戸１１が所定以上開かないように開放幅Ｗを制限することができない。
【００４５】
一方、ステップｂにおいて、個人情報の認証が一致していると制御装置３の操作が可能であり（ステップｄ）、制御装置３のＯＮボタン３ａとＯＦＦボタン３ｂの操作によって窓戸開放制限装置２を駆動し窓戸１１が所定以上開かないように開放幅Ｗを制限することができる（ステップｅ）。
【００４６】
このように、認証カード４からの個人認証信号によって制御装置３が窓戸開放制限装置２を制御可能にするもので、建物の窓戸１１が所定以上開かないように開放幅Ｗを制限することで、居室における自然換気の確保と、事故の防止の両立を可能にできる。また、操作する人を個人認証することにより、個人認証で許可された人のみ操作可能となり、安全性を格段に向上させることができ、さらに窓戸１１が所定以上開かないように開放幅Ｗを制限することにより、外部からの侵入対策にも有効となる。
【００４７】
また、様々な法規制に対しても、火報、ＣＯ２センサー、温度センサー、湿度センサー、震度センサー等の異常検知手段１２からの検知信号が入力されると、制御装置３は窓戸開放制限装置２による窓戸１１が所定以上開かないように開放幅Ｗを制限することを解除する。このように、異常検知手段１２との連動により、火災時等は、避難安全のために窓戸の開放制限を自動的に解除することができ、法尊守を可能とする。
【００４８】
また、制御装置３は、窓戸開放制限装置２の駆動時間を検出し、所定時間以上の経過時に異常を警報する装置異常警報手段１３を有する。この装置異常警報手段１３は、例えば窓戸開放制限装置２の駆動時間を検出し、所定時間経過しても窓戸移動規制する部材が障害物に引っ掛かったり、あるいは移動が故障等により窓戸１１が所定以上開かないように開放幅Ｗを制限することができない場合、窓戸開放制限装置２の異常と判断し、装置の異常を警報することで、窓戸開放制限装置２の故障等を迅速に知り、補修等を行なうことができる。
【００４９】
この装置異常警報手段１３は、装置異常の警報が窓戸開放制限装置２の駆動停止であり、電流が流れないように、タイマー保護装置を組み込み、窓戸開放制限装置２に過電流が流れないようにすることができる。
【００５０】
また、装置異常警報手段１３は、異常の警報が異常ブザーまたは異常点灯であり、迅速、かつ確実に異常を知らせることができる。
【００５１】
図５は窓戸開放制限装置の他の実施の形態の設置状態を示す正面図である。この実施の形態では、建物の人が出入りする居室の開口部１０の上部の壁２０に設けられている。この場合、壁２０に埋設すると外部から見えないようにすることができる。また、窓戸開放制限装置の他の実施の形態の設置状態として、窓戸開放制限装置自体を小型化してサッシ自体（戸、桟や枠等）に埋め込むようにしてもよい。
【００５２】
図１乃至図５の実施の形態では、建物の１個の窓戸１１に対して、窓戸開放制限装置２を１個設ける場合を示したが、図６に示すように、建物の１個の窓戸１１に対して、窓戸開放制限装置２を複数箇所に設け、窓戸１１の開放幅Ｗを制御可能にしてもよい。例えば、開口部１０の端部に最も近い方から距離Ｄ１、距離Ｄ２、距離Ｄ３の位置に窓戸開放制限装置２がそれぞれ配置され、距離Ｄ１に配置される窓戸開放制限装置２のみを操作すると、窓戸１１の開放幅Ｗが最も大きく、距離Ｄ２に配置される窓戸開放制限装置２のみを操作すると、窓戸１１の開放幅Ｗが次に大きく、距離Ｄ３に配置される窓戸開放制限装置２のみを操作すると、窓戸１１の開放幅Ｗが最も小さくなり、窓戸１１の開放幅を使用状況等に応じて変更することができる。
【００５３】
さらに、建物の１個の窓戸１１に対して、窓戸開放制限装置２を複数個設けて、窓戸１１の開放幅Ｗを変えるだけではなく、他の例として、窓戸開放制限装置２をスライド式の台座に付けて取付位置を変えて開放幅Ｗを可変とするようにしてもよい。
【００５４】
また、図７に示すように、複数の窓戸１１のそれぞれに対して、窓戸開放制限装置２を単数箇所に設け、窓戸１１の開放幅Ｗを制限可能にしている。制御装置３には、それぞれの窓戸開放制限装置２に対応してＯＮボタン３ａとＯＦＦボタン３ｂが設けられ、このＯＮボタン３ａとＯＦＦボタン３ｂの操作によって窓戸開放制限装置２を駆動し窓戸１１が所定以上開かないように開放幅Ｗを制限することができる。
【００５５】
また、複数の窓戸１１のそれぞれに対して、図６に示すように、窓戸開放制限装置２を複数箇所に設け、窓戸１１の開放幅Ｗを制御可能にしてもよい。
【００５６】
このように、１つごとの窓戸でも、また複数の窓戸をまとめてでも、窓戸全数でも窓戸の開放幅を使用状況等に応じて変更することができ、施設管理の効率化が可能である。
【００５７】
次に、図８乃至図１２に基づいて、この窓戸開放制限システム１に使用される窓戸開放制限装置２について説明する。図８は窓戸開放制限装置の取付状態の示す図、図９は窓戸開放制限装置の平面図、図１０は窓戸開放制限装置の正面図、図１１は窓戸開放制限装置の側面図、図１２は窓戸開放制限装置の操作状態の示す図である。
【００５８】
この実施の形態の窓戸開放制限装置２は、装置本体５０、窓戸移動規制部材５１、支持部材５２、駆動手段５３を備えている。装置本体５０は、箱形状であり、この実施の形態では、窓戸１１の近傍の建物固定側の壁２０の凹部２０ａに嵌め込むように取り付けられている。この装置本体５０は、ポッティング加工等の防水加工したことで、例えば屋外の設置も可能である。
【００５９】
窓戸移動規制部材５１は、窓戸１１が開閉する位置に出没して窓戸１１に当接し、所定以上の開き方向の移動を規制する。この窓戸移動規制部材５１は、窓戸１１が開閉する方向に対して直交方向に出没するスライドロッド５１ａで構成される。壁２０の凹部２０ａには、スライドロッド５１ａの没位置への移動を可能にする穴２０ａ１が形成されている。
【００６０】
支持部材５２は、装置本体５０に設けられ、窓戸移動規制部材５１を移動可能に支持する、この支持部材５２は、装置本体５０に設けた一対のロッドブラケット５２ａ，５２ａで構成される。
【００６１】
駆動手段５３は、制御装置３からの制御信号に基づいて窓戸移動規制部材５１を窓戸１１が開閉する位置に出没させる。この駆動手段５３は、カムピン５３ａ１を有する開閉レバー５３ａと、この開閉レバー５３ａを作動する駆動モータ５３ｂとで構成される。駆動モータ５３ｂのモータシャフト５３ｂ１に開閉レバー５３ａが固定されている。スライドロッド５１ａには、ロッド軸方向と直交方向にカム溝５１ａ１が設けられ、このカム溝５１ａ１にカムピン５３ａ１が係合されている。
【００６２】
この窓戸開放制限装置２の作動を、図１２に基づいて説明する。通常、操作しない時には、開閉レバー５３ａ及びスライドロッド５１ａが図１２（ａ）に示す位置にある。ＯＮ操作によって、駆動モータ５３ａが駆動して開閉レバー５３ａが矢印ａ方向に回転する。この開閉レバー５３ａが矢印ａ方向に回転することで、カムピン５３ａ１が、カム溝５１ａ１を介してスライドロッド５１ａを図１２（ｂ）に示すように移動し、図１２（ｃ）に示すように出位置に移動する。このスライドロッド５１ａに窓戸１１が当接し所定以上の開き方向の移動を規制することができる。
【００６３】
一方、スライドロッド５１ａに窓戸１１が当接し所定以上の開き方向の移動を規制することを解除する場合には、ＯＦＦ操作によって、駆動モータ５３ａが駆動して開閉レバー５３ａが矢印ｂ方向に回転する。この開閉レバー５３ａが矢印ｂ方向に回転することで、カムピン５３ａ１が、カム溝５１ａ１を介してスライドロッド５１ａを図１２（ｂ）に示すように移動し、図１２（ａ）に示すように没位置に移動する。
【００６４】
この実施の形態では、駆動モータ５３ａを１８０度正転または１８０度逆転することで、スライドロッド５１ａを出位置へ移動し、または没位置へ移動するが、駆動モータ５３ａを１８０度正転し、さらに１８０度正転することで、スライドロッド５１ａを出位置へ移動し、または没位置へ移動するようにしてもよい。
【００６５】
このように、駆動モータ５３ｂの駆動で開閉レバー５３ａのカムピン５３ａ１が、カム溝５１ａ１を介してスライドロッド５１ａを出位置または没位置に移動することで、カム機構による簡単な構造で、確実に建物の窓戸１１が所定以上開かないように開放幅Ｗを制限することができる。また、窓戸１１を開けた時の衝撃荷重を、左右の一対のロッドブラケット５２ａ，５２ａの支持部材５２を介して装置本体５０に伝達され、駆動モータ５３ｂには、衝撃荷重がかからない構造であり、装置の耐久性が向上する。
【００６６】
また、支持部材５１は、装置本体５０に設けた一対のロッドブラケット５２ａ，５２ａで構成され、スライドロッド５１ａの一方方向の移動で、一方のロッドブラケット５２ａから突出する長さＬ１と、他方方向の移動で、他方のロッドブラケット５２ａから突出する長さＬ２とが略同じであり、窓戸の引き戸の部分が左開きでも、右開きでも設置可能である。
【００６７】
また、この実施の形態の窓戸開放制限装置２は、スライドロッド５１ａの長さを工夫することにより、天井内に装置本体５０を新築の建物でも、在来の建物でも埋め込む設置も可能な構造である。
【００６８】
【発明の効果】
前記したように、請求項１に記載の発明では、認証信号出力手段からの個人認証信号によって制御装置が窓戸開放制限装置を制御可能にすることで、建物の窓戸が所定以上開かないように開放幅を制限が、個人認証で許可された人のみ操作可能となり、居室における自然換気の確保と、事故の防止の両立を可能にできる。
【００６９】
請求項２に記載の発明では、装置本体に設けられる支持部材に窓戸移動規制部材を支持し、この窓戸移動規制部材を窓が開閉する位置に出没して窓戸と当接し所定以上の開き方向の移動を規制することで、簡単な構造で、確実に建物の窓戸が所定以上開かないように開放幅を制限することができる。
【００７０】
請求項３に記載の発明では、駆動モータの駆動で開閉レバーのカムピンが、カム溝を介してスライドロッドを出位置または没位置に移動することで、カム機構による簡単な構造で、確実に建物の窓戸が所定以上開かないように開放幅を制限することができる。また、窓戸を開けた時の衝撃荷重を、スライドロッドから支持部材を介して装置本体に伝達され、駆動モータには、衝撃荷重がかからない構造であり、装置の耐久性が向上する。
【００７１】
請求項４に記載の発明では、窓戸移動規制部材の一方方向の移動で、一方のロッドブラケットから突出する長さと、他方方向の移動で、他方のロッドブラケットから突出する長さとが略同じであり、窓戸の引き戸の部分が左開きでも、右開きでも設置可能である。
【００７２】
請求項５に記載の発明では、非常警報信号に基づき窓戸開放制限装置の制御を解除して窓戸を開放可能にすることで、様々な法規制に対しても、火報、ＣＯ２センサー、温度センサー、湿度センサー、震度センサー等との連動により、火災時等は、避難安全のために窓戸の開放制限を自動的に解除することができ、法尊守を可能とする。
【００７３】
請求項６に記載の発明では、窓戸開放制限装置の駆動時間を検出し、所定時間以上の経過時に異常を警報することで、窓戸開放制限装置の故障等を迅速に知り、補修等を行なうことができる。
【００７４】
請求項７に記載の発明では、異常の警報が窓戸開放制限装置の駆動停止であり、例えば窓戸開放制限装置に過電流が流れないようにすることができる。
【００７５】
請求項８に記載の発明では、異常の警報が異常ブザーまたは異常点灯であり、迅速、かつ確実に異常を知らせることができる。
【００７６】
請求項９に記載の発明では、１個の窓戸に対して、窓戸開放制限装置を複数箇所に設け、窓戸の開放幅を制御可能にしたことで、窓戸の開放幅を使用状況等に応じて変更することができる。
【００７７】
請求項１０に記載の発明では、１つごとの窓戸でも、また複数の窓戸をまとめてでも、窓戸全数でも窓戸の開放幅を使用状況等に応じて変更することができ、施設管理の効率化が可能である。
【図面の簡単な説明】
【図１】窓戸開放制限装置の設置状態を示す正面図である。
【図２】窓戸開放制限装置の設置状態を示す断面図である。
【図３】窓戸開放制限システムの概略構成図である。
【図４】窓戸開放制限システムの動作を示すフローチャートである。
【図５】窓戸開放制限装置の他の実施の形態の設置状態を示す正面図である。
【図６】窓戸開放制限装置の他の実施の形態の設置状態を示す正面図である。
【図７】窓戸開放制限システムの他の実施の形態の概略構成図である。
【図８】窓戸開放制限装置の取付状態の示す図である。
【図９】窓戸開放制限装置の平面図である。
【図１０】窓戸開放制限装置の正面図である。
【図１１】窓戸開放制限装置の側面図である。
【図１２】窓戸開放制限装置の操作状態の示す図である。
【符号の説明】
１  窓戸開放制限システム
２  窓戸開放制限装置
３  制御装置
４  認証カード
５  カードリーダ
１０  開口部
１１  窓戸
１２  異常検知手段
１３  装置異常警報手段
２０  壁
５０  装置本体
５１  窓戸移動規制部材
５１ａ  スライドロッド
５１ａ１  カム溝
５２  支持部材
５２ａ  ロッドブラケット
５３  駆動手段
５３ａ  開閉レバー
５３ａ１  カムピン
５３ｂ  駆動モータ
【図１】
2005023606.tif 000003
【図２】
2005023606.tif 000004
【図３】
2005023606.tif 000005
【図４】
2005023606.tif 000006
【図５】
2005023606.tif 000007
【図６】
2005023606.tif 000008
【図７】
2005023606.tif 000009
【図８】
2005023606.tif 000010
【図９】
2005023606.tif 000011
【図１０】
2005023606.tif 000012
【図１１】
2005023606.tif 000013
【図１２】
2005023606.tif 000014